(57)【要約】【課題】壁面に対する棚板の角度を容易に切り替えることができ、利便性を向上できると共に、簡潔な外観で美観を向上させた棚を提供することを目的とする。【解決手段】本発明にかかる棚１００は、壁面１０２に取り付けられる棚であって、棚板１０８と、棚板に固定された２つ以上のブラケット１０４、１０６とを有し、壁面には、ブラケットを係止する壁固定部材１１０が取り付けられていて、ブラケットは、棚板の表面１１６に対して直交する面内において角度の異なる複数の平面１２２、１２４、１２６を有し、複数の平面には、壁固定部材に係止する係合部１２８、１３０、１３２が形成されていることを特徴とする。【選択図】図１
2018171267.tif 000002
【特許請求の範囲】
【請求項１】
壁面に取り付けられる棚であって、
棚板と、
前記棚板に固定された２つ以上のブラケットとを有し、
前記壁面には、前記ブラケットを係止する壁固定部材が取り付けられていて、
前記ブラケットは、前記棚板の表面に対して直交する面内において角度の異なる複数の平面を有し、
前記複数の平面には、前記壁固定部材に係止する係合部が形成されていることを特徴とする棚。
【請求項２】
前記複数の平面は、
前記棚板が水平のときに垂直になる面と、
前記棚板が壁から離れる方向である手前側に向かって上方に傾斜したときに垂直になる面とを含むことを特徴とする請求項１に記載の棚。
【請求項３】
前記複数の平面は、前記棚板が手前側に向かって下方に傾斜したときに垂直になる面を含み、
前記棚板の手前側の端には、リブが設けられていることを特徴とする請求項１または２に記載の棚。
【請求項４】
前記棚板の壁側かつ該棚板から垂直方向に離れた位置に、転落防止用の保持部材が設けられていることを特徴とする請求項１から３のいずれか１項に記載の棚。
【請求項５】
前記保持部材は、前記ブラケットに掛け渡されたパイプであることを特徴とする請求項４に記載の棚。
【発明の詳細な説明】
【技術分野】
【０００１】
本発明は、壁面に取り付けられる棚に関する。
【背景技術】
【０００２】
従来から、支柱などを含む壁面には、各種物品を収納あるいは陳列するために、備え付けの棚が設けられている。このような棚としては、壁面に対する棚板の角度を切り替えられるものが知られている（例えば、特許文献１）。
【０００３】
特許文献１には、左右に立設した支柱と、支柱に取り付けられる支持ブラケットと、支持ブラケットに支持される棚板とを備えた棚板の支持構造が開示されている。この構造では、支柱の前面に設けられた係止孔に、支持ブラケットの後端部に形成されたフックを係止している。さらにこの構造では、支持ブラケットの後端縁下部に角度調整部材を回転可能に装着し、この角度調整部材を回転させることで、支持ブラケットの後端縁と支柱の前面との間の距離を変化させ、支持ブラケットの支柱に対する傾斜角度を調整している。
【先行技術文献】
【特許文献】
【０００４】
【特許文献１】特開２００６−８７７９４号公報
【発明の概要】
【発明が解決しようとする課題】
【０００５】
しかし特許文献１に記載の構造では、傾斜角度を調整するためには、支持ブラケットとは別部品である角度調整部材を支持ブラケットに回転可能に装着する作業、さらには角度調整部材を回転させる作業も必要となり、また、それらの作業も容易ではない。さらに、角度調整部材の機構が露出するため、外観上も無骨な印象を与えてしまう。
【０００６】
本発明は、このような課題に鑑み、壁面に対する棚板の角度を容易に切り替えることができ、利便性を向上できると共に、簡潔な外観で美観を向上させた棚を提供することを目的としている。
【課題を解決するための手段】
【０００７】
上記課題を解決するために、本発明にかかる棚の代表的な構成は、壁面に取り付けられる棚であって、棚板と、棚板に固定された２つ以上のブラケットとを有し、壁面には、ブラケットを係止する壁固定部材が取り付けられていて、ブラケットは、棚板の表面に対して直交する面内において角度の異なる複数の平面を有し、複数の平面には、壁固定部材に係止する係合部が形成されていることを特徴とする。
【０００８】
上記構成によれば、ブラケットの角度の異なる複数の平面に係合部が形成されている。そして、ブラケットを壁固定部材に係止する係合部を異ならせるだけで、壁面に対する棚板の角度を容易に切り替えることができるため、利便性を向上できる。また、機械的な角度調整機構がないため、簡潔な外観で高い美観を備えることができる。
【０００９】
上記の複数の平面は、棚板が水平のときに垂直になる面と、棚板が壁から離れる方向である手前側に向かって上方に傾斜したときに垂直になる面とを含むとよい。これにより、棚板を水平に支持したり、手前側に向かって上方に傾斜した状態で支持したりすることが可能となる。
【００１０】
上記の複数の平面は、棚板が手前側に向かって下方に傾斜したときに垂直になる面を含み、棚板の手前側の端には、リブが設けられているとよい。これにより、棚板を手前側に向かって下方に傾斜した状態で支持することができる。この状態で棚板の手前側の端に設けられたリブは各種物品の落下を防止するため、各種物品を斜めに収納あるいは陳列することができる。
【００１１】
上記の棚板の壁側かつ棚板から垂直方向に離れた位置に、転落防止用の保持部材が設けられているとよい。これにより、棚板がブラケットに水平に支持されている場合には、棚板に収納あるいは陳列された各種物品が壁側から転落することを防止できる。また棚板が手前側に向かって上方に傾斜した状態でブラケットに支持されている場合には、保持部材が各種物品の底を受けることができるため、各種物品を収納するだけでなく水切りを行うことができる。
【００１２】
上記の保持部材は、ブラケットに掛け渡されたパイプであるとよい。このように、２つ以上のブラケット間にパイプが掛け渡されているため、棚の剛性を高めることができる。
【発明の効果】
【００１３】
本発明によれば、壁面に対する棚板の角度を容易に切り替えることができ、利便性を向上できると共に、簡潔な外観で美観を向上させた棚を提供することができる。
【図面の簡単な説明】
【００１４】
【図１】本発明の実施形態における棚を示す図である。
【図２】ブラケットを拡大して示す図である。
【図３】ブラケットが係止される壁固定部材を拡大して示す図である。
【図４】図１の棚とは棚板の置き方を変えたスタイルの棚を示す図である。
【図５】本発明の変形例における棚を示す図である。
【図６】他の変形例におけるブラケットおよび壁固定部材を示す図である。
【発明を実施するための形態】
【００１５】
以下に添付図面を参照しながら、本発明の好適な実施形態について詳細に説明する。かかる実施形態に示す寸法、材料、その他具体的な数値などは、発明の理解を容易とするための例示に過ぎず、特に断る場合を除き、本発明を限定するものではない。なお、本明細書及び図面において、実質的に同一の機能、構成を有する要素については、同一の符号を付することにより重複説明を省略し、また本発明に直接関係のない要素は図示を省略する。
【００１６】
図１は、本発明の実施形態における棚１００を示す図である。図１（ａ）に示す棚１００は、例えば浴室の壁面１０２などに取付けられ、各種物品を収納あるいは陳列するために用いられる。棚１００は、左右一対の２つのブラケット１０４、１０６と、ブラケット１０４、１０６に着脱可能に取り付けられる棚板１０８とを有する。なお棚１００が取付けられる壁面１０２は、ブラケット１０４、１０６に対応する位置に立設された支柱であってもよい。
【００１７】
また棚１００が取付けられる壁面１０２には、ブラケット１０４、１０６を取付け可能な壁固定部材１１０が固定されている。ブラケット１０４、１０６は、図中矢印Ａに示すようにして上方から下方にスライドさせることで壁固定部材１１０に係止され、壁固定部材１１０を介して壁面１０２に取り付けられる。
【００１８】
ブラケット１０４、１０６は、図１（ａ）に示すように、棚板１０８の側端１１２、１１４に沿って取付けられている。また棚板１０８の表面１１６のうち、壁面１０２から離れる方向である手前側の端には、リブ１１８が形成されている。リブ１１８は、棚板１０８の表面１１６から上方に突出していて、棚板１０８に収納あるいは陳列された各種物品が手前側から転落することを防止する。
【００１９】
さらに棚板１０８には、各種物品の転落防止用の保持部材であるパイプ１２０が取付けられている。パイプ１２０は棚板１０８の壁側かつ棚板１０８から垂直方向に離れた位置に設けられている。したがって、棚１００では、棚板１０８に収納あるいは陳列された各種物品が壁側から転落することがパイプ１２０により防止される。またパイプ１２０は、ブラケット１０４、１０６間に掛け渡されていて、棚１００の剛性を高めている。なおブラケット１０４、１０６は、左右対称の構造を有していて機能等が同様であるので、以下ではブラケット１０６の説明を適宜省略する。  ブラケット１０４は、図１（ｂ）に示すように、棚板１０８の表面１１６に対して直交する面内において、角度の異なる複数（ここでは３つ）の平面１２２、１２４、１２６を有する。これらの平面１２２、１２４、１２６には、壁固定部材１１０に係止される係合部１２８、１３０、１３２が形成されている。さらにブラケット１０４は、平面１２６に連続し棚板１０８を支持する支持面１３４と、平面１２４の上端と支持面１３４の先端とをつなぐブレース材となる連結面１３６とを有する。
【００２０】
ブラケット１０４の平面１２２は、係止部１２８が壁固定部材１１０に係止され、図１（ｂ）に示すように棚板１０８が支持面１３４により水平に支持された状態で、垂直になる面である。なお図１（ｂ）では、壁面１０２に固定された壁固定部材１１０に便宜上、ハッチングを付している。
【００２１】
また平面１２４は、係止部１３０が壁固定部材１１０に係止され、棚板１０８が手前側に向かって上方に傾斜するように支持面１３４に支持された状態で、垂直になる面である（図４（ａ）参照）。さらに平面１２６は、係止部１３２が壁固定部材１１０に係止され、棚板１０８が手前側に向かって下方に傾斜するように支持面１３４に支持された状態で、垂直になる面である（図４（ｂ）参照）。
【００２２】
図２は、ブラケット１０４を拡大して示す図である。ブラケット１０４の係合部１２８は、図２（ａ）に示すように、平面１２６に形成された挿入口１３８と、挿入口１３８に連続し平面１２２の長手方向に沿って形成されたレール溝１４０とを有する。また係合部１３０は、図２（ａ）に示すように、平面１２２に形成された挿入口１４２と、挿入口１４２に連続し平面１２４の長手方向に沿って形成されたレール溝１４４とを有する。さらに係合部１３２は、図２（ｂ）に示すように、支持面１３４に形成された挿入口１４６と、挿入口１４６に連続し平面１２６の長手方向に沿って形成されたレール溝１４８とを有する。
【００２３】
これら係合部１２８、１３０、１３２は、その挿入口１３８、１４２、１４６およびレール溝１４０、１４４、１４８に、壁固定部材１１０の固定部１５０および溝部１５２（図３（ａ）参照）を挿入可能である。
【００２４】
図３は、ブラケット１０４が係止される壁固定部材１１０、１１０Ａを拡大して示す図である。壁固定部材１１０は、図３（ａ）に示すように、壁面１０２に接する土台部１５４と、土台部１５４の手前側に配置された固定部１５０と、固定部１５０と土台部１５４との間に形成された溝部１５２とを有する。土台部１５４には、例えば４つの穴１５６が設けられている。壁固定部材１１０は、不図示のネジなどを穴１５６に挿通して壁面１０２に固定される。
【００２５】
壁固定部材１１０にブラケット１０４を係止させる場合、まず、固定部１５０および溝部１５２に、ブラケット１０４に形成された係合部１２８、１３０、１３２の挿入口１３８、１４２、１４６を位置合わせする。つぎに、壁固定部材１１０の固定部１５０および溝部１５２に、ブラケット１０４の挿入口１３８、１４２、１４６およびレール溝１４０、１４４、１４８を、上方から下方にスライドして係合させる。このようにして、ブラケット１０４は、係合部１２８、１３０、１３２を用いることで、壁面１０２に固定された壁固定部材１１０に係止され、壁面１０２に安定して固定される。
【００２６】
なお図３（ａ）に示す壁固定部材１１０の固定部１５０は、レール溝１４０、１４４、１４８に対応するように長尺状としている。しかし壁固定部材の固定部は長尺状に限られない。一例として図３（ｂ）に示す壁固定部材１１０Ａのように、長尺状の固定部１５０に代えて、土台部１５４の上端１５８付近に溝部１５２Ａを介して、円柱状の固定部１５０Ａを配置してもよい。
【００２７】
図１（ｂ）では、棚１００を、棚板１０８が水平のときに垂直になる面である平面１２２に形成された係合部１２８を用いて、ブラケット１０４を壁固定部材１１０に係止している。したがって、棚１００では、棚板１０８がブラケット１０４に水平に支持可能となり、棚板１０８に各種物品を安定して収納あるいは陳列できる（以下、フラットスタイルと称する）。
【００２８】
図４は、図１の棚１００とは棚板１０８の置き方を変えたスタイルの棚１００Ａ、１００Ｂを示す図である。なお図４（ａ）、図４（ｂ）では、壁面１０２に固定された壁固定部材１１０に便宜上、ハッチングを付している。
【００２９】
図４（ａ）に示す棚１００Ａでは、棚板１０８が手前側に向かって上方に傾斜したときに垂直になる面である平面１２４に形成された係合部１３０を用いて、ブラケット１０４を壁固定部材１１０に係止している。したがって、棚１００Ａでは、棚板１０８が手前側に向かって上方に傾斜した状態でブラケット１０４に支持可能となる。さらに棚１００Ａでは、パイプ１２０が棚板１０８の壁側かつ棚板１０８から垂直方向に離れた位置にあるため、各種物品の底を受けることができ、各種物品を収納するだけでなく水切りを行うことができる（以下、水切りスタイルと称する）。
【００３０】
図４（ｂ）に示す棚１００Ｂでは、棚板１０８が手前側に向かって下方に傾斜したときに垂直になる面である平面１２６に形成された係合部１３２を用いて、ブラケット１０４を壁固定部材１１０に係止している。したがって、棚１００Ｂでは、棚板１０８が手前側に向かって下方に傾斜した状態でブラケット１０４に支持可能となる。さらに棚１００Ｂでは、棚板１０８の手前側の端に設けられたリブ１１８が各種物品の落下を防止するため、各種物品を斜めに収納あるいは陳列することができる（以下、ディスプレイスタイルと称する）。
【００３１】
したがって、本実施形態によれば、ブラケット１０４を壁固定部材１１０に係止する際に用いる係合部１２８、１３０、１３２を異ならせるだけで、壁面１０２に対する棚板１０８の角度を容易に切り替えられることができ、利便性を向上できる。例えば、図１（ａ）に示すように平面１２２に形成された係合部１２８を用いると、フラットスタイルの棚１００を得ることができる。また図４（ａ）に示すように平面１２４に形成された係合部１３０を用いると、水切りスタイルの棚１００Ａを得ることができる。さらに図４（ｂ）に示すように平面１２６に形成された係合部１３２を用いると、ディスプレイスタイルの棚１００Ｂを得ることができる。さらに、機械的な角度調整機構がないため、簡潔な外観で高い美観を備えた棚１００、１００Ａ、１００Ｂを得ることができる。
【００３２】
図５は、本発明の変形例における棚２００Ａ、２００Ｂを示す図である。図５（ａ）に示す棚２００Ａは、棚１００に比べて、棚板１０８に固定された左右一対のブラケット１０４Ａ、１０６Ａの形状が異なっている。なおブラケット１０４Ａ、１０６Ａは、左右対称の構造を有していて機能等が同様であるので、以下ではブラケット１０６Ａの説明を適宜省略する。
【００３３】
ブラケット１０４Ａは、角度の異なる平面１２２、１２４、１２６と、棚板１０８を支持する支持面１３４とを有するものの、ブレース材となる連結面１３６（図１（ｂ）参照）が存在しない。このため、ブラケット１０４Ａは、棚板１０８の表面１１６に対して直交する面内において、ブラケット１０４のように枠体が形成されていない。
【００３４】
したがって、棚２００Ａでは、ブラケット１０４Ａを壁固定部材１１０に係止する際に用いる平面１２２、１２４に形成された図中に示す係合部１２８、１３０および平面１２６に形成された係合部１３２（図２参照）を異ならせるだけで、壁面１０２に対する棚板１０８の角度を容易に切り替えられることができるだけでなく、ブラケット１０４Ａの清掃も容易に行うことができる。
【００３５】
図５（ｂ）に示す棚２００Ｂは、棚１００に比べて、ブラケット１０４Ｂおよび壁固定部材１１０Ｂの形状が異なっている。ブラケット１０４Ｂは、図中点線Ｂで区切られた拡張部１６０を有し、拡張部１６０の分だけブラケット１０４（図１（ｂ）参照）よりも大きくなっている。
【００３６】
ブラケット１０４Ｂでは、拡張部１６０の分だけ平面１２２Ｂに形成された係合部１２８Ｂがブラケット１０４の平面１２２（図１（ｂ）参照）の係合部１２８よりも長い。壁固定部材１１０Ｂは、その土台部１５４の長さが平面１２２Ｂの長さに合わせて長く形成されている。これにより、フラットスタイルにおける棚２００Ｂの耐荷重を向上させることができる。
【００３７】
図６は、他の変形例におけるブラケット１０４Ｃおよび壁固定部材１１０Ｃを示す図である。ブラケット１０４Ｃは、ブラケット１０４に比べて、図６（ａ）に示すように、角度の異なる平面１２２、１２４、１２６に形成された係合部１６２、１６４、１６６の形状が異なっている。
【００３８】
ブラケット１０４Ｃの係合部１６２、１６４、１６６は、図６（ｂ）に示すように壁固定部材１１０Ｃのフック１６８の形状に対応して形成されている。フック１６８は、土台部１５４の手前側に配置されていて、土台部１５４から手前側に延びさらに上方に屈曲している。
【００３９】
このため、ブラケット１０４Ｃは、壁固定部材１１０Ｃのフック１６８に、係合部１６２、１６４、１６６のいずれかを上方から下方にスライドして係合させることで、壁固定部材１１０Ｃに係止可能となる。
【００４０】
したがって、ブラケット１０４Ｃを壁固定部材１１０Ｃに係止する際に用いる係合部１６２、１６４、１６６を異ならせるだけで、壁面１０２に対する棚板１０８の角度を容易に切り替えられることができる。
【００４１】
上記各ブラケット１０４、１０４Ａ、１０４Ｂ、１０４Ｃでは、角度の異なる３つの平面を設けるようにしたが、これに限られず、角度の異なる平面を４つ以上設けて、それらの平面に係合部を形成することで、壁面１０２に対する棚板１０８の角度をさらに細かく設定できるようにしてもよい。
【００４２】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【産業上の利用可能性】
【００４３】
本発明は、壁面に取り付けられる棚に利用することができる。
【符号の説明】
【００４４】
１００、１００Ａ、１００Ｂ、２００Ａ、２００Ｂ…棚、１０２…壁面、１０４、１０４Ａ、１０４Ｂ、１０４Ｃ、１０６、１０６Ａ…ブラケット、１０８…棚板、１１０、１１０Ａ、１１０Ｂ、１１０Ｃ…壁固定部材、１１２、１１４…棚板の側端、１１６…棚板の表面、１１８…棚板のリブ、１２０…パイプ、１２２、１２２Ｂ、１２４、１２６…平面、１２８、１２８Ｂ、１３０、１３２、１６２、１６４、１６６…係止部、１３４…支持面、１３６…連結面、１３８、１４２、１４６…係止部の挿入口、１４０、１４４、１４８…係止部のレール溝、１５０、１５０Ａ…固定部、１５２、１５２Ａ…溝部、１５４…土台部、１５６…穴、１５８…土台部の上端、１６０…拡張部、１６８…フック
【図１】
2018171267.tif 000003
【図２】
2018171267.tif 000004
【図３】
2018171267.tif 000005
【図４】
2018171267.tif 000006
【図５】
2018171267.tif 000007
【図６】
2018171267.tif 000008